(57)【要約】【課題】  ユーザの所望する任意な時間又は時刻に対応した内容の地図情報を表示するとともに、地図情報の時間的な変化を把握し易くすること。【解決手段】  時間コントロールバーＣＢによってユーザの所望する時刻が指定された場合、道路地図上に表示される地図情報のうち、時間経過に伴ってその内容が変化する地図情報について、ユーザの指定した時刻に対応した内容の地図情報に変更して表示する。【選択図】        図２
2007058092.tif 000002
【特許請求の範囲】
【請求項１】
所望の時間又は時刻を指定する時間・時刻指定手段と、
道路地図を表示するディスプレイと、
前記道路地図上に表示する地図情報のうち、時間経過に伴ってその内容が変化する地図情報について、前記時間・時刻指定手段の指定した時間又は時刻に対応した内容の地図情報に変更する地図情報変更手段と、
前記時間・時刻指定手段によって時間又は時刻が指定された場合、前記道路地図上に前記地図情報変更手段の変更した地図情報を表示する表示制御手段と、を備えることを特徴とする地図表示装置。
【請求項２】
前記時間・時刻指定手段は、前記所望の時間又は時刻の指定を連続的に行うことができるものであり、
前記地図情報変更手段は、前記所望の時間又は時刻の指定が連続的に行われた場合、前記時間経過に伴ってその内容が変化する地図情報をその連続的な時間又は時刻の指定に連動して変更することを特徴とする請求項１記載の地図表示装置。
【請求項３】
前記時間・時刻指定手段は、基準時刻より前又は／及び後の所望の時間又は時刻を指定することを特徴とする請求項１又は２記載の地図表示装置。
【請求項４】
前記表示制御手段は、前記道路地図とともに、現在の時刻を前記基準時刻とする時間軸を示す図形、及び前記時間軸上を移動するポインタを示す図形を表示し、
前記ポインタを示す図形の位置を前記時間軸に沿って移動させるポインタ位置変更手段を備え、
前記時間・時刻指定手段は、前記ポインタ位置変更手段によって移動した前記ポインタを示す図形の位置する前記時間軸上の時間又は時刻を指定することを特徴とする請求項３記載の地図表示装置。
【請求項５】
前記ディスプレイに対向して配置され、他方の面から前記ディスプレイの表示内容の読み取りができるものであって、前記時間軸を示す図形上へのタッチ操作を検出するタッチパネルを備え、
前記ポインタ位置変更手段は、前記タッチパネルの検出したタッチ操作の位置に前記ポインタを示す図形の位置を移動することを特徴とする請求項４記載の地図表示装置。
【請求項６】
前記表示制御手段は、前記ポインタの位置を前記時間軸に沿って移動させるためのポインタ操作用の図形をさらに表示し、
前記ディスプレイに対向して配置され、他方の面から前記ディスプレイの表示内容の読み取りができるものであって、前記ポインタ操作用の図形上へのタッチ操作を検出するタッチパネルを備え、
前記ポインタ位置変更手段は、前記タッチパネルの検出したタッチ操作に応じて前記ポインタを示す図形の位置を移動することを特徴とする請求項４記載の地図表示装置。
【請求項７】
前記ポインタ位置変更手段は、前記タッチ操作が継続して行われている間、前記ポインタを示す図形の位置を連続して移動することを特徴とする請求項６記載の地図表示装置。
【請求項８】
前記地図情報変更手段は、風景、渋滞、通行規制、店舗を含む施設、イベント情報、目的地へ向かう経路上の自車位置の少なくとも１つの前記時間経過に伴ってその内容が変化する地図情報について変更することを特徴とする請求項１〜７の何れか１項に記載の地図表示装置。
【請求項９】
所望の時間又は時刻を指定し、
道路地図上に表示する地図情報のうち、時間経過に伴ってその内容が変化する地図情報について、前記指定した時間又は時刻に対応した内容の地図情報に変更し、
前記所望の時間又は時刻が指定された場合、前記道路地図上に前記変更した地図情報を表示することを特徴とする地図表示方法。
【請求項１０】
所望の時間又は時刻を指定させる手順と、
道路地図上に表示する地図情報のうち、時間経過に伴ってその内容が変化する地図情報について、前記指定した時間又は時刻に対応した内容の地図情報に変更する手順と、
前記所望の時間又は時刻が指定された場合、前記道路地図上に前記変更した地図情報を表示する手順と、をコンピュータに実行させるための地図表示プログラム。
【請求項１１】
所望の時間又は時刻を指定し、
道路地図上に表示する地図情報のうち、時間経過に伴ってその内容が変化する地図情報について、前記指定した時間又は時刻に対応した内容の地図情報に変更し、
前記所望の時間又は時刻が指定された場合、前記道路地図上に前記変更した地図情報を表示することを特徴とする地図表示方法のプログラムを記録した記録媒体。
【発明の詳細な説明】
【技術分野】
【０００１】
本発明は、地図表示装置、地図表示方法、地図表示プログラム、及びそのプログラムを記録した記録媒体に関するものである。
【背景技術】
【０００２】
従来、例えば、特許文献１に記載の技術によれば、現在位置データを検出する位置検出手段と、地図情報が格納されている記憶媒体と、現在位置と地図情報を表示装置に表示するナビゲーション装置において、現在位置データを基準に、予め設定された距離位置または予め設定された時間経過後（何分か後）の予測位置を求め、その予測位置における地図情報を上記記憶媒体から読み出してスクロール表示する。
【特許文献１】特開平７−２６０５０５号公報
【発明の開示】
【発明が解決しようとする課題】
【０００３】
例えば、渋滞の発生が予測される渋滞予測区間を表示する渋滞予測情報等の地図情報は、時間経過に伴ってその内容が変化する情報であるため、このような地図情報については、予め設定された時間経過後の時間（又は時刻）に対応した内容に変更したうえで表示することが望ましい。
【０００４】
しかしながら、上記従来技術は、予測位置における地図情報を記憶媒体から読み出してスクロール表示するものであるため、そのスクロール表示される地図情報自体は、予め設定された時間経過後の時間（又は時刻）に対応した内容とはならない。
【０００５】
また、上記従来技術は、予め設定された時間経過毎の地図情報をスクロール表示するものであるため、ユーザが任意な経過時間（又は任意な時刻）を指定して、その指定した時間経過後の時間（又は時刻）の地図情報を表示することができない。
【０００６】
さらに、上記従来技術は、予め設定された時間経過毎の地図情報をスクロール表示するものであるため、その地図情報は、時間的に間隔のあいた情報となる。従って、地図情報が連続的に変化して表示されず、地図情報の時間的な変化が分かりにくくなる。
【０００７】
本発明は、上記の問題を鑑みてなされたもので、ユーザの所望する任意な時間又は時刻に対応した内容の地図情報を表示するとともに、地図情報の時間的な変化を把握し易くすることができる地図表示装置、地図表示方法、地図表示プログラム、及びそのプログラムを記録した記録媒体を提供することを目的とする。
【課題を解決するための手段】
【０００８】
上記目的を達成するためになされた請求項１に記載の地図表示装置は、
所望の時間又は時刻を指定する時間・時刻指定手段と、
道路地図を表示するディスプレイと、
道路地図上に表示する地図情報のうち、時間経過に伴ってその内容が変化する地図情報について、時間・時刻指定手段の指定した時間又は時刻に対応した内容の地図情報に変更する地図情報変更手段と、
時間・時刻指定手段によって時間又は時刻が指定された場合、道路地図上に地図情報変更手段の変更した地図情報を表示する表示制御手段と、を備えることを特徴とする。
【０００９】
このように、本発明の地図表示装置は、所望する時間又は時刻が指定された場合、道路地図上に表示される地図情報のうち、時間経過に伴ってその内容が変化する地図情報については、時間指定手段の指定した時間又は時刻に対応した内容の地図情報に変更したうえで表示する。
【００１０】
これにより、ユーザの所望する任意な時間又は時刻に対応した内容の地図情報が道路地図上に表示されるようになるため、ユーザは、その指定した時間又は時刻に対応した内容の地図情報を把握することが可能となる。
【００１１】
請求項２に記載の地図表示装置によれば、時間・時刻指定手段は、所望の時間又は時刻の指定を連続的に行うことができるものであり、
地図情報変更手段は、所望の時間又は時刻の指定が連続的に行われた場合、時間経過に伴ってその内容が変化する地図情報をその連続的な時間又は時刻の指定に連動して変更することを特徴とする。
【００１２】
このように、所望の時間又は時刻の指定を連続的に行うことで、時間経過に伴ってその内容が変化する地図情報は、その連続的な時間又は時刻の指定に連動して変更される。その結果、道路地図上の地図情報が連続的に変化して表示されるようになるため、ユーザは、地図情報の時間的な変化を把握し易くすることができる。
【００１３】
請求項３に記載の地図表示装置によれば、時間・時刻指定手段は、基準時刻より前又は／及び後の所望の時間又は時刻を指定することを特徴とする。これにより、例えば、現在の時刻を基準時刻として、現在の時刻より前や後の時間又は時刻を指定することができる。
【００１４】
請求項４記載の地図表示装置によれば、表示制御手段は、道路地図とともに、現在の時刻を基準時刻とする時間軸を示す図形、及び時間軸上を移動するポインタを示す図形を表示し、
ポインタを示す図形の位置を時間軸に沿って移動させるポインタ位置変更手段を備え、
時間・時刻指定手段は、ポインタ位置変更手段によって移動したポインタを示す図形の位置する時間軸上の時間又は時刻を指定することを特徴とする。
【００１５】
これにより、ユーザは、時間軸上に表示されるポインタの図形を移動させることができるようになり、そのポインタの位置する時間軸上の任意な時間又は時刻を指定することができる。
【００１６】
請求項５に記載の地図表示装置によれば、
ディスプレイに対向して配置され、他方の面からディスプレイの表示内容の読み取りができるものであって、時間軸を示す図形上へのタッチ操作を検出するタッチパネルを備え、
ポインタ位置変更手段は、タッチパネルの検出したタッチ操作の位置にポインタを示す図形の位置を移動することを特徴とする。
【００１７】
これにより、ユーザは、時間軸を示す図形上を直接タッチ操作することで、タッチ操作した位置にポインタの位置を移動することができる。また、時間軸に沿ってなぞるようにタッチ操作することで、ポインタの位置を連続的に移動させることも可能となる。
【００１８】
請求項６記載の地図表示装置によれば、
表示制御手段は、ポインタの位置を時間軸に沿って移動させるためのポインタ操作用の図形をさらに表示し、
ディスプレイに対向して配置され、他方の面からディスプレイの表示内容の読み取りができるものであって、ポインタ操作用の図形上へのタッチ操作を検出するタッチパネルを備え、
ポインタ位置変更手段は、タッチパネルの検出したタッチ操作に応じてポインタを示す図形の位置を移動することを特徴とする。
【００１９】
これにより、ユーザは、ポインタ操作用の図形上をタッチ操作することで、その操作に応じてポインタの位置を移動することができる。
【００２０】
請求項７に記載の地図表示装置によれば、ポインタ位置変更手段は、タッチ操作が継続して行われている間、ポインタを示す図形の位置を連続して移動することを特徴とする。これにより、指定する時間又は時刻を連続的に変更することが可能となる。
【００２１】
請求項８に記載の地図表示装置によれば、地図情報変更手段は、風景、渋滞、通行規制、店舗を含む施設、イベント情報、目的地へ向かう経路上の自車位置の少なくとも１つの時間経過に伴ってその内容が変化する地図情報について変更することを特徴とする。
【００２２】
これにより、渋滞だけでなく、空の色彩や天候、通行規制、店舗が開店／閉店中であるかどうか、イベントが開催中であるかどうか、目的地へ向かう経路における自車の到達予想位置等の時間経過に伴って状況（状態）が変化する地図情報について変更することができる。
【００２３】
請求項９に記載の地図表示方法、請求項１０に記載の地図表示プログラム、及び請求項１１に記載の地図表示方法のプログラムを記録した記録媒体は、請求項１に記載の地図表示装置の作用効果と同様であるので、その説明を省略する。
【発明を実施するための最良の形態】
【００２４】
以下、本発明の実施形態について、図面を参照しながら説明する。なお、本実施形態では、本発明の地図表示装置を車載用カーナビゲーション装置の一機能として実現した場合の例について説明するものであるが、例えば、その他の車載端末、携帯電話、ＰＤＡ（Personal Digital Assistant）、ＰＣ（Personal Computer）等に本発明の機能のプログラムをインストールして実行することによっても実現できるものである。
【００２５】
図１は、車載用カーナビゲーション装置の全体構成を示すブロック図である。図１に示す位置検出器１は、例えばＧＰＳ（Global Positioning System ）受信機、ジャイロスコープ、Ｇ（加速度）センサから構成され、自動車の現在位置と進行方向を検出してナビゲーション用ＥＣＵ（以下、ＥＣＵ）６へ出力する。位置検出手段としては、本実施形態の位置検出器１の例に限らず、ステアリングセンサ、速度センサ等、他のセンサによる検出信号に基づいて位置検出を行ってもよい。
【００２６】
通信回路２は、例えば無線によって外部とデータ通信を行う無線通信回路であり、ＶＩＣＳ（Vehicle Information and Communication System）等の交通情報システムから提供される渋滞情報、通行規制情報等を含む道路交通情報、情報提供会社等から提供される店舗情報、天候情報、イベント情報等の各種情報を受信する。通信回路２の受信した各種情報は、ＥＣＵ６を介してメモリ３に記憶される。なお、各種情報を取得するものとしては、本実施形態の通信回路２の例に限らず、光ファイバー等の有線通信によって外部とデータ通信を行う有線通信回路であってもよい。
【００２７】
メモリ３は、例えばフラッシュメモリ等の不揮発性の記憶素子からなり、車両の現在位置周辺を地図表示するための地図データと、通信回路２からＥＣＵ６を介して入力した道路交通情報等の各種情報を時刻情報を付して記憶する。記憶したこれらのデータは、ＥＣＵ６の指示に従って読み出しや更新が行われる。地図データに関しては、ＣＤ−ＲＯＭやＤＶＤ−ＲＯＭ等の記憶媒体に記憶して、ここから読み出しを行ってもよい。道路交通情報に関しては、ハードディスクやメモリカード等に記憶して読み出しや更新を行ってもよい。
【００２８】
ディスプレイ４は、例えば液晶ディスプレイによって構成され、ディスプレイ４の画面には位置検出器１から入力された車両の現在位置に対応する自車位置マークと地図データによって生成される自車両周辺の道路地図等を表示することができる。
【００２９】
タッチパネル４ａは、一方の面がディスプレイ４の画面に対向して配置され、他方の面から画面の表示内容の読み取りができるものである。このタッチパネル４ａは、例えば、特開２００２−３２３９５７号公報に記載されたタッチパネルのように、上層抵抗膜と下層抵抗膜とが積層された構成となっており、図示しない電圧印加装置によって、上層抵抗膜にはＸ方向（横方向）、下層抵抗膜にはＹ方向（縦方向）に電圧を、それぞれ交互に印加される。
【００３０】
そして、このタッチパネル４ａの任意の箇所を押下すると、まず上層抵抗膜に電圧が印加されるタイミングでこの上層抵抗膜のＸ方向で抵抗分割された電圧信号Ｖxoutが下層抵抗膜から導出される。続いて、下層抵抗膜に電圧が印加されるタイミングでこの下層抵抗膜のＹ方向で抵抗分割された電圧信号Ｖyoutが上層抵抗膜から導出される。
【００３１】
このように、各抵抗膜から導出される電圧信号Ｖxout、Ｖyoutがそれぞれタッチパネル４ａに対するＸ方向、Ｙ方向の押下位置と対応し、これら各電圧値をＡ／Ｄ変換してＸＹ座標に換算することでタッチパネル４ａ上における押下位置を示す座標が検出される。
【００３２】
リモコン５は、例えばテンキーと各種機能キーを備えた多機能リモコンである。ユーザは、リモコン５を操作することによって、ディスプレイ４に表示された地図から自車両の目的地を設定したりすることができる。なお、各種の項目の入力や指定を行う手段としては、本実施形態のリモコン５の例に限らず、メカニカルなスイッチ等を用いてもよい。
【００３３】
タイマ７は、例えば時刻を出力する時計であり、ＥＣＵ６の指示に従って年月日を含めた現在の時刻（例えば、２０○○年○月○日○時○分○秒等）を示す時刻情報をＥＣＵ６へ出力する。この時刻の取得に関しては、ＥＣＵ６の内部タイマ等を用いてもよい。スピーカ８は、例えば車載用カーステレオのスピーカであり、音声による経路案内等に用いられる。
【００３４】
ＥＣＵ６は、通常のコンピュータとして構成されており、内部には周辺のＣＰＵ、ＲＯＭ、ＲＡＭ、Ｉ／Ｏ及びこれらの構成を接続するバスライン（何れも図示せず）が備えられている。ナビＥＣＵ３は、リモコン５の操作に応じた各種機能の実行を制御する。
【００３５】
このＥＣＵ６の実行する機能としては、例えば、道路地図縮尺変更機能、メニュー表示選択機能、目的地設定機能、経路探索実行機能、経路案内機能、現在位置修正機能、表示画面変更機能、音量調整機能のほか、現在の時刻以降の所望の時刻（言い換えれば、現在の時刻からの所望の経過時間）に対応した地図情報を道路地図上に表示する予測地図表示機能等がある。
【００３６】
この予測地図表示機能が実行されると、ディスプレイ４の画面には、図２（ａ）に示すように、例えば、自車両周辺の道路地図やユーザの指定した任意の地点周辺の道路地図とともに、時間コントロールバーＣＢが表示される。
【００３７】
図２（ｂ）に示すように、時間コントロールバーＣＢは、現在の時刻（例えば、９時００分）を基準時刻とする時間軸ｂａｒ、時間軸ｂａｒ上の任意な時刻に移動するポインタｐｎｔ、このポインタｐｎｔの位置を時間軸ｂａｒに沿って連続的に移動させるためのポインタ操作キーｔｆ、ｔｂから構成される。
【００３８】
ユーザは、先ず、所望の任意な時刻（基準時刻からの所望の経過時間）を指定する。この任意な時刻を指定する第１の方法としては、時間軸ｂａｒ上の所望の時刻に相当する位置をタッチ操作する。このタッチ操作した位置は、タッチパネル４ａによって検出され、その検出した位置にポインタｐｎｔが移動する。
【００３９】
これにより、ユーザは、時間軸ｂａｒ上を直接タッチ操作することで、タッチ操作した位置にポインタｐｎｔの位置を移動することができる。また、時間軸ｂａｒに沿ってなぞるようにタッチ操作することで、ポインタｐｎｔの位置を連続的に移動させることも可能である。
【００４０】
所望の任意な時刻を指定する第２の方法としては、ポインタ操作キーｔｆ、ｔｂをタッチ操作する。このポインタ操作キーｔｆ、ｔｂへのタッチ操作は、タッチパネル４ａによって検出され、そのタッチ操作の回数や継続してタッチ操作したときの継続時間に応じてポインタｐｎｔが移動する。例えば、ポインタ操作キーｔｆをタッチ操作すると、ポインタｐｎｔの位置が右側（すなわち、未来の時刻）に移動する。一方、ポインタ操作キーｔｂをタッチ操作すると、ポインタｐｎｔの位置が左側（すなわち、過去の時刻）に移動する。
【００４１】
これにより、ユーザは、ポインタ操作キーｔｆ、ｔｂをタッチ操作することで、その操作回数に応じてポインタｐｎｔの位置を移動することができる。また、ポインタ操作キーｔｆ、ｔｂを継続してタッチ操作することで、ポインタｐｎｔの位置を連続的に移動させることができる。
【００４２】
所望の任意な時刻を指定する第３の方法としては、リモコン５の操作キーをポインタ操作キーｔｆ、ｔｂに割り当て、その割り当てた操作キーを操作する。この操作キーへのキー操作は、リモコン５によって検出され、そのキー操作の回数や継続してキー操作したときの継続時間に応じてポインタｐｎｔが移動する。これにより、ユーザは、リモコン５を操作することで、ポインタｐｎｔの位置を移動することができるようになる。
【００４３】
このように第１〜第３の何れかの方法によって、ユーザは、ポインタｐｎｔの位置を移動することができるようになり、現在の時刻を基準時刻とした、そのポインタｐｎｔの位置する時間軸ｂａｒ上の任意な時刻（現在の時刻より後の所望の時刻）を指定する。
【００４４】
予測地図表示機能では、ユーザによって所望の時刻が指定されると、ディスプレイ４に表示される道路地図の風景（空の色彩や天候等）、渋滞情報、通行規制情報、店舗を含む施設の開店／閉店情報、イベント情報、目的地へ向かう経路上の自車位置等、時間経過に伴ってその内容が変化する地図情報について、指定された時刻に対応した内容の地図情報に変更する。
【００４５】
すなわち、ＥＣＵ６では、メモリ３に記憶された渋滞情報、通行規制情報等を含む道路交通情報、店舗情報、天候情報、イベント情報等の各種情報を用いて、指定された時刻における状況（状態）に対応した内容を示す地図情報に変更する。
【００４６】
これにより、道路地図の空や天候、ビル等の施設、道路等を指定された時刻に応じた表示態様（例えば、色彩や明るさ（昼間の場合は明るく、夜間の場合は暗く））に変更することができる。また、指定された時刻において渋滞が予測される道路や通行規制となる道路の表示態様を変更することができる。さらに、店舗が開店／閉店中であるかどうか、イベントが開催中であるかどうかについても、指定された時刻に応じて表示態様を変更することができる。
【００４７】
また、ＥＣＵ６では、ポインタｐｎｔの位置が連続的に移動する場合、すなわち、所望の時刻の指定が連続的に行われた場合、上記時間経過に伴ってその内容が変化する地図情報をその連続的な時刻の指定に連動して変更し、その変更に伴って、道路地図上の地図情報を連続的に変更して表示する。これにより、道路地図上の地図情報が連続的に変化して表示されるようになるため、ユーザは、地図情報の時間的な変化を把握し易くすることができる。
【００４８】
また、目的地へ向かう経路における自車位置を予測して表示する場合には、図３に示すように、先ず、現在地から目的地への到達予想時刻までの間の時刻を指定する時間軸ｂａｒを表示し、ポインタｐｎｔの位置する時刻における自車予測位置を求め、その自車予測位置周辺の道路地図を自車予測位置を示す自車位置マークとともに表示する。この自車予測位置は、例えば、経路を構成する道路の制限速度等に基づいて算出される。
【００４９】
そして、ポインタｐｎｔの位置が連続的する場合には、自車予測位置を示す自車位置マークがその連続的な時刻の指定に連動して経路に沿って移動するように表示する。なお、自車位置マークの移動に伴って、その自車位置マークが画面上の道路地図から逸脱しないよう、自車位置マークの移動方向に道路地図をスクロール表示する。
【００５０】
図４は、本実施形態の車載用カーナビゲーション装置が実行する予測地図表示機能の処理の流れを示すフローチャートである。ステップＳ１０において、予測地図表示機能をユーザが選択すると、ステップＳ２０では、図２（ａ）に示した時間コントロールバーＣＢを道路地図とともにディスプレイ４の画面に表示する。
【００５１】
ステップＳ３０において、ユーザの所望する任意の時刻が指定されると、ステップＳ４０では、ディスプレイ４に表示される道路地図上の地図情報のうち、時間経過に伴ってその内容が変化する地図情報について、指定された時刻に対応した内容の地図情報に変更する。ステップＳ５０では、ステップＳ４０において変更した地図情報を道路地図上に表示した後、ステップＳ３０へ処理を移行し、上述した処理を繰り返し行う。
【００５２】
このように、本実施形態の車載用カーナビゲーション装置は、ユーザの所望する時刻が指定された場合、道路地図上に表示される地図情報のうち、時間経過に伴ってその内容が変化する地図情報については、ユーザの指定した時刻に対応した内容の地図情報に変更したうえで表示する。
【００５３】
これにより、ユーザの所望する任意な時刻に対応した内容の地図情報が道路地図上に表示されるようになるため、ユーザは、その指定した時刻に対応した内容の地図情報を把握することが可能となる。
【００５４】
以上、本発明の好ましい実施形態について説明したが、本発明は上述した実施形態に何ら制限されることなく、本発明の主旨を逸脱しない範囲において、種々変形して実施することができる。
【００５５】
例えば、本実施形態の予測地図表示機能では、図２に示したように、基準時刻（現在の時刻）からの所望の経過時間を”時刻”で指定するものであるが、経過時間そのものを指定するようにしてもよい。すなわち、図２（ｂ）に示したように、時間コントロールバーＣＢを構成する時間軸ｂａｒは”時刻”を時間軸とするものであるが、基準時刻からの相対的な時間（すなわち、経過時間）を時間軸とする。これにより、基準時刻からの所望の時間を指定することができるようになる。
【００５６】
また、本実施形態の予測地図表示機能は、現在の時刻より後の所望の時刻に対応した地図情報を道路地図上に表示するものであるが、時間コントロールバーＣＢを現在の時刻より後の所望の時刻とともに、現在の時刻より前（過去）の所望の時刻を指定可能とし、時間経過に伴ってその内容が変化する地図情報について、過去の時刻に対応した内容の地図情報に変更して道路地図上に表示するようにしてもよい。これにより、ユーザは、過去の地図情報を把握することが可能となる。
【００５７】
また、時間コントロールバーＣＢは、時・分を単位とする任意な時刻を指定することができるものであるが、時・分の単位に限らず、秒、日、週、月、季節、年単位で指定できるものであってもよい。
【００５８】
また、時間コントロールバーＣＢを操作して時刻を指定するものに限らず、例えば、ユーザの所望する時刻をキー入力できるようにしたものであってもよい。
【図面の簡単な説明】
【００５９】
【図１】本発明の一実施形態における全体構成を示すブロック図である。
【図２】（ａ）は、道路地図と時間コントロールバーＣＢの表示例を示す図であり、（ｂ）は、時間コントロールバーＣＢの構成を説明するための図である。
【図３】目的地へ向かう経路における自車位置の予測地図表示を説明するための図である。
【図４】予測地図表示機能の処理の流れを示すフローチャートである。
【符号の説明】
【００６０】
１  位置検出器
２  通信回路
３  メモリ
４  ディスプレイ
４ａ  タッチパネル
５  リモコン
６  ナビゲーション用ＥＣＵ
７  タイマ
８  スピーカ
【図１】
2007058092.tif 000003
【図２】
2007058092.tif 000004
【図３】
2007058092.tif 000005
【図４】
2007058092.tif 000006